(57)【要約】      （修正有）【課題】歩行時等における足の前足部に作用する足圧を適正な方向に導いて足に作用する足圧を効率的に作用させることができる子供用シューズを提供する。【解決手段】子供用シューズの靴底部１２を構成するミッドソール１６はラバー素材で成形されている。ミッドソール１６には横直線状変曲点溝２０が形成されている。この横直線状変曲点溝２０よりも靴底部１２の前方のミッドソール１６にはラバー素材で形成された前足部アウトソール２２が設けられている。靴底部１２の踵部のミッドソール１６にはラバー素材で形成された踵部アウトソール２４が設けられている。直線状変曲点溝２０と踵部アウトソール２４との間にはラバー素材で形成された第１シャンクアウトソール２６と第２シャンクアウトソール２８が設けられている。【選択図】図１
0003197761.tif 000002
【実用新案登録請求の範囲】
【請求項１】
子供用シューズの靴底部を構成するミッドソールに形成されると共に靴底部の幅方向に向かって形成された直線状変曲点溝と、この直線状変曲点溝よりも靴底部の前方にラバー素材で設けられると共に略ｅ字状に形成された前足部アウトソールと、前記ミッドソールの踵部に設けられると共にラバー素材で形成された踵部アウトソールと、前記直線状変曲点溝と前記踵部アウトソールとの間に設けられると共にラバー素材で形成された第１シャンクアウトソール及び第２シャンクアウトソールと、を設けたことを特徴とする子供用シューズ。
【請求項２】
前記前足部アウトソールは前足部アウトソール円弧状部と前足部アウトソール横直線状部から形成され、前記踵部アウトソールは踵部アウトソール円弧状部と踵部アウトソール横直線状部から形成され、前記第１シャンクアウトソールは前記直線状変曲点溝に沿う第１シャンクアウトソール横直線状部と第１シャンクアウトソール曲線状部から形成され、前記第２シャンクアウトソールは第２シャンクアウトソール横直線状部と第２シャンクアウトソール曲線状部から形成されたことを特徴とする請求項１記載の子供用シューズ。
【請求項３】
子供用シューズの靴底部を構成するミッドソールに形成されると共に靴底部の幅方向に向かって形成された円弧状変曲点溝と、この円弧状変曲点溝よりも靴底部の前方にラバー素材で設けられると共にｅ字状に形成された前足部アウトソールと、前記ミッドソールの踵部に設けられると共にラバー素材で形成された踵部アウトソールと、前記円弧状変曲点溝と前記踵部アウトソールとの間に設けられると共にラバー素材で形成されたシャンクアウトソールと、を設けたことを特徴とする子供用シューズ。
【請求項４】
前記前足部アウトソールは前足部アウトソールリング状部と前足部アウトソール横直線状部から形成され、前記踵部アウトソールは踵部アウトソールリング状部と踵部アウトソール縦直線状部から形成され、前記シャンクアウトソールは前記円弧状変曲点溝に沿うシャンクアウトソール円弧状部とシャンクアウトソール曲線状部から形成されたことを特徴とする請求項３記載の子供用シューズ。
【請求項５】
前記ミッドソールをラバー素材で形成したことを特徴とする請求項１、請求項２、請求項３、請求項４のいずれか１項に記載した子供用シューズ。
【請求項６】
前記ミッドソールをＥＶＡで形成したことを特徴とする請求項１、請求項２、請求項３、請求項４のいずれか１項に記載した子供用シューズ。
【考案の詳細な説明】
【技術分野】
【０００１】
本考案は、子供用シューズに関し、詳しくは歩行時等に足の前足部に作用する足圧を適正な方向に導くことができる子供用シューズに関する。
【背景技術】
【０００２】
子供の足は発育により徐々に大きくなると共に子供の発育段階において例えば３歳〜４歳位、５歳〜６歳位、７歳〜１１歳位の年齢層においては、それぞれ歩行時等における足の動きが異なる。
ところで、足の骨格が完成していない乳幼児期から発育期における子供の足の正しい発育形成を図る子供靴が提案されている（特許文献１）。
しかし、このタイプの子供靴は子供の正しい足の発育促進を図るための子供靴であるため、歩行時等における足の前足部に作用する足圧を適正な方向に導くアウトソールは設けられていない。
このため、従来の子供靴では歩行時等における足の前足部に作用する足圧を適正な方向に導くことが困難である。
【先行技術文献】
【特許文献】
【０００３】
【特許文献１】特開２００１−２５２１０２号
【考案の概要】
【考案が解決しようとする課題】
【０００４】
本考案は、上記事実に鑑みなされたものであり、歩行時等における足の前足部に作用する足圧を適正な方向に導いて足に作用する足圧を効率的に作用させることができる子供用シューズを提供するものである。
【課題を解決するための手段】
【０００５】
請求項１の考案は、子供用シューズの靴底部を構成するミッドソールに形成されると共に靴底部の幅方向に向かって形成された直線状変曲点溝と、この直線状変曲点溝よりも靴底部の前方にラバー素材で設けられると共に略ｅ字状に形成された前足部アウトソールと、前記ミッドソールの踵部に設けられると共にラバー素材で形成された踵部アウトソールと、前記直線状変曲点溝と前記踵部アウトソールとの間に設けられると共にラバー素材で形成された第１シャンクアウトソール及び第２シャンクアウトソールと、を設けたことを特徴としている。
請求項２の考案は、前記前足部アウトソールは前足部アウトソール円弧状部と前足部アウトソール横直線状部から形成され、前記踵部アウトソールは踵部アウトソール円弧状部と踵部アウトソール横直線状部から形成され、前記第１シャンクアウトソールは前記直線状変曲点溝に沿う第１シャンクアウトソール横直線状部と第１シャンクアウトソール曲線状部から形成され、前記第２シャンクアウトソールは第２シャンクアウトソール横直線状部と第２シャンクアウトソール曲線状部から形成されたことを特徴としている。
請求項３の考案は、子供用シューズの靴底部を構成するミッドソールに形成されると共に靴底部の幅方向に向かって形成された円弧状変曲点溝と、この円弧状変曲点溝よりも靴底部の前方にラバー素材で設けられると共にｅ字状に形成された前足部アウトソールと、前記ミッドソールの踵部に設けられると共にラバー素材で形成された踵部アウトソールと、前記円弧状変曲点溝と前記踵部アウトソールとの間に設けられると共にラバー素材で形成されたシャンクアウトソールと、を設けたことを特徴としている。
請求項４の考案は、前記前足部アウトソールは前足部アウトソールリング状部と前足部アウトソール横直線状部から形成され、前記踵部アウトソールは踵部アウトソールリング状部と踵部アウトソール縦直線状部から形成され、前記シャンクアウトソールは前記円弧状変曲点溝に沿うシャンクアウトソール円弧状部とシャンクアウトソール曲線状部から形成されたことを特徴とする請求項３記載の子供用シューズと、を設けたことを特徴としている。
請求項５の考案は、前記ミッドソールをラバー素材で形成したことを特徴としている。
請求項６の考案は、前記ミッドソールをＥＶＡで形成したことを特徴としている。
【考案の効果】
【０００６】
本考案は、歩行等に前足部アウトソールに導かれた足の足圧は前足部アウトソールを介して適正方向に導かれるので子供用シューズを介して足の足圧を効率よく接地面に伝えることができるという優れた効果を有する。
本考案は、歩行時等に靴底部の中間部に衝撃等が生じてもシャンクアウトソールが靴底部の中間部に過度の撓みや撚れが生ずるのを防ぐので、安定して歩行等することができるという優れた効果を有する。
【図面の簡単な説明】
【０００７】
【図１】第１実施例の子供用シューズの靴底部の底面図である。
【図２】第１実施例の子供用シューズの靴底部の斜視図である。
【図３】図１Ａ−Ａ端面図である。
【図４】第１実施例の子供用シューズの側面図である。
【図５】第２実施例の子供用シューズの靴底部の底面図である。
【図６】第２実施例の子供用シューズの靴底部の斜視図である。
【図７】図５Ａ−Ａ端面図である。
【考案を実施するための形態】
【０００８】
考案を実施するために最良の形態の例として以下のような実施例を示す。
【実施例１】
【０００９】
図１〜図４には本考案に係る子供用シューズの第１実施例が示されている。なお、第１実施例の子供用シューズは主に学校に通学する場合等に履くのに適した子供用シューズである。
図４に示されるように、第１実施例の子供用シューズ１０は靴底部１２とアッパー部１４を備えている。
【００１０】
図１及び図２に示されるように、前記靴底部１２を構成するミッドソール１６はラバー素材で一体成形されている。
前記ミッドソール１６には靴底部１２の幅方向（図１左右方向）に向かって変曲点を有する変曲点溝としての横直線状変曲点溝２０がミッドソール１６を刻設して形成されている。このため前記ミッドソール１６は横直線状変曲点溝２０で肉厚が他の部分より薄くなるので他の部分よりも曲がり易くなっている。
この横直線状変曲点溝２０よりも靴底部１２の前方（図１上方）のミッドソール１６にはラバー素材で形成された前足部アウトソール２２が設けられている。
この前足部アウトソール２２は歩行時に足の前足部に作用する足圧を適正な方向に導く役割を果たすようになっている。
【００１１】
前記前足部アウトソール２２は略ｅ字状に形成されると共に前足部アウトソール円弧状部２２Ａと前足部アウトソール横直線状部２２Ｂを有している。
【００１２】
前記靴底部１２の踵部のミッドソール１６にはラバー素材で形成された踵部アウトソール２４が設けられている。この踵部アウトソール２４は略ｅ字状に形成されると共に踵部アウトソール円弧状部２４Ａと踵部アウトソール横直線状部２４Ｂを有している。
【００１３】
前記直線状変曲点溝２０と前記踵部アウトソール２４との間で靴底部１２の前後方向（図１上下方向）の中間部にはラバー素材で形成された第１シャンクアウトソール２６と第２シャンクアウトソール２８が対向して設けられている。
この第１シャンクアウトソール２６と第２シャンクアウトソール２８は歩行時等に靴底部１２の中間部が撓んだり撚れたりするのを防止する役目を果たすようになっている。
【００１４】
前記第１シャンクアウトソール２６は逆フ字状に形成されて第１シャンクアウトソール横直線状部２６Ａと第１シャンクアウトソール曲線状部２６Ｂを有している。
この第１シャンクアウトソール横直線状部２６Ａは前記横直線状変曲点溝２０に沿って形成されている。このため第１シャンクアウトソール横直線状部２６Ａは、前記横直線状変曲点溝２０をサポートする役目を有している。
また、第２シャンクアウトソール２８も逆フ字状に形成され第２シャンクアウトソール横直線状部２８Ａと第２シャンクアウトソール曲線状部２８Ｂを有している。
【００１５】
図３に示されるように、前記前足部アウトソール２２、前記踵部アウトソール２４、第１シャンクアウトソール２６、第２シャンクアウトソール２８の接地面は前記ミッドソール１６の接地面よりも突出するように形成されている。
【００１６】
次に、第１実施例の子供用シューズ１０を履いて歩行する場合を例にして子供用シューズ１０の作用を説明する。
子供用シューズを履いて歩行する場合、子供用シューズ１０の靴底部１２は踵部、中間部、爪先部の順で接地する。
【００１７】
前記靴底部１２の踵部が接地すると足の足圧は踵部アウトソール２４、第２シャンクアウトソール２８、第１シャンクアウトソール２６、前足部アウトソール２２の順に連続してスムーズに導かれる。
そして、前記前足部アウトソール２２に導かれた足の足圧は前足部アウトソール円弧状部２２Ａを介して放射方向に導かれるので子供用シューズ１０を介して足の足圧を効率よく接地面に伝えることができる。
これにより、足の前足部に作用した足圧を効果的に利用して、子供用シューズ１０の蹴り出しを円滑かつ効果的に行うことができる。
【００１８】
また、歩行時等に靴底部１２の中間部が接地して、接地の衝撃により靴底部１２の中間部に外力が作用して前記中間部が撓んだり撚れたりしようとしても、中間部には第１シャンクアウトソール２６と第２シャンクアウトソール２８が設けられていると共に第１シャンクアウトソール横直線状部２６Ａが横直線状変曲点溝２０をサポートしているので、靴底部１２の中間部が必要以上に撓んだり撚れたりするのを確実に防止することができる。
これにより、子供用シューズ１０は安定して歩行等をすることができる。
【００１９】
この結果、第１実施例の子供用シューズ１０においては足の蹴り出しを円滑、効果的に行うことができると共に安定した歩行等を行うことができる。
【００２０】
図５〜図７には本考案に係る子供用シューズの第２実施例が示されている。この第２実施例の子供用シューズは前記第１実施例の子供用シューズ１０と異なり、主にスポーツをする場合等に履くのに適した子供用シューズである。なお、第１実施例の子供用シューズ１０と同一の構成は同一の符号を用いてその説明を省略する。
【００２１】
図５及び図６に示されるように、第２実施例の子供用シューズ４０の靴底部１２を構成するミッドソール４２はラバー素材よりも柔らかい素材であるＥＶＡ（エチレンビニルアセテート）で一体成形されている。ラバー素材よりも柔らかい素材であるＥＶＡでミッドソール４２を形成することにより、スポーツで激しい足の動きをしてもミッドソール４２が柔軟性を有することにより激しい動きにミッドソール４２が対応し易いようになっている。
【００２２】
前記ミッドソール４２には子供用シューズ４０の幅方向（図５左右方向）に向かって変曲点を有する変曲点溝としての円弧状の円弧状変曲点溝４４が形成されている。
この円弧状変曲点溝４４はミッドソール４２を刻設して形成されている。このため前記ミッドソール４２は円弧状変曲点溝４４で曲がり易くなっている。
【００２３】
この円弧状変曲点溝４４よりも靴底部１２の前方（図５上方）のミッドソール４２にはラバー素材で形成された前足部アウトソール４６が設けられている。
この前足部アウトソール４６は歩行時に足の前足部に作用する足圧を適正な方向に導く役割を果たすようになっている。
前記前足部アウトソール４６はｅ字状に形成されると共に前足部アウトソールリング状部４６Ａと前足部アウトソール横直線状部４６Ｂを有している。
【００２４】
前記ミッドソール４２の踵部にはラバー素材で形成された踵部アウトソール５０が設けられている。この踵部アウトソール５０は踵部アウトソールリング部５０Ａと踵部アウトソール縦線状部５０Ｂを有している。
【００２５】
前記円弧状変曲点溝４４と前記踵部アウトソール５０との間のミッドソール４２の中間部にはラバー素材で形成されたシャンクアウトソール５２が設けられている。
このシャンクアウトソール５２はミッドソール４２の中間部が過度に撓んだり撚れたりするのを防止する役目を果たすようになっている。
【００２６】
前記シャンクアウトソール５２はシャンクアウトソール円弧状部５２Ａとシャンクアウトソール曲線状部５２Ｂを有している。シャンクアウトソール５２のシャンクアウトソール円弧状部５２Ａは前記円弧状変曲点溝４４に沿って形成されている。このシャンクアウトソール円弧状部５２Ａは、前記円弧状変曲点溝４４をサポートする役目を有している。
【００２７】
図７に示されるように、前記前足部アウトソール４６、前記踵部アウトソール５０、シャンクアウトソール５２の接地面は前記ミッドソール４２の接地面よりも突出するように形成されている。
【００２８】
次に、第２実施例の子供用シューズ４０を履いてスポーツをする場合を例にして子供用シューズ４０の作用を説明する。
子供用シューズ４０を履いてスポーツをすることにより足が激しい動きをしても子供用シューズ４０のミッドソール４２は柔らかい素材のＥＶＡで形成されているので、ミッドソール４２は柔軟性を有して激しい足の動きに対応できる。
【００２９】
子供用シューズ４０を履いてスポーツ等をして靴底部１２の踵部が接地すると足の足圧は踵部アウトソール５０、シャンクアウトソール５２、前足部アウトソール４６の順に連続してスムーズに導かれる。
そして、前記前足部アウトソール４６に導かれた足の足圧は前足部アウトソールリング状部４６Ａを介して放射方向に導かれるので子供用シューズ４０を介して足の足圧を効率よく接地面に伝えることができる。
これにより、足の前足部に作用した足圧を効果的に利用して、子供用シューズ４０の蹴り出しを円滑かつ効果的に行うことができる。
【００３０】
また、スポーツ時等に靴底部１２の中間部が接地して、接地の衝撃により靴底部１２の中間部に外力が作用して前記中間部が撓んだり撚れたりしようとしても、中間部にはシャンクアウトソール５２が設けられていると共にシャンクアウトソール円弧状部５２Ａが円弧状変曲点溝４４をサポートしているので、靴底部１２の中間部が必要以上に撓んだり撚れたりするのを確実に防止することができる。
これにより、子供用シューズ４０は安定して歩行等をすることができる。
【００３１】
なお、他の作用、効果は第１実施例の子供用シューズ１０と同一であるのでその説明は省略する。
【００３２】
なお、第１実施例の子供用シューズ１０の前足部アウトソール２２、踵部アウトソール２４、第１シャンクアウトソール２６、第２シャンクアウトソール２８と第２実施例の子供用シューズ４０の前足部アウトソール４６、踵部アウトソール５０、シャンクアウトソール５２はラバー素材で形成したが、主に３歳〜４歳が履くサイズの子供用シューズ１０，４０の前記ラバー素材は低反発ラバー素材が好ましく、主に５歳〜６歳が履くサイズの子供用シューズ１０，４０の前記ラバー素材は中反発ラバー素材が好ましく、主に７歳〜１１歳が履くサイズの子供用シューズ１０，４０の前記ラバー素材は高反発ラバー素材が好ましい。
【産業上の利用可能性】
【００３３】
本考案の子供用シューズは登校時やスポーツ時以外にも使用することができる。
【符号の説明】
【００３４】
１０    子供用シューズ
１２    靴底部
１４    アッパー部
１６    ミッドソール
２０    横直線状変曲点溝
２２    前足部アウトソール
２２Ａ  前足部アウトソール円弧状部
２２Ｂ  前足部アウトソール横直線状部
２４    踵部アウトソール
２４Ａ  踵部アウトソール円弧状部
２４Ｂ  踵部アウトソール横直線状部
２６    第１シャンクアウトソール
２６Ａ  第１シャンクアウトソール横直線状部
２６Ｂ  第１シャンクアウトソール曲線状部
２８    第２シャンクアウトソール
２８Ａ  第２シャンクアウトソール横直線状部
２８Ｂ  第２シャンクアウトソール曲線状部
【図１】
0003197761.tif 000003
【図２】
0003197761.tif 000004
【図３】
0003197761.tif 000005
【図４】
0003197761.tif 000006
【図５】
0003197761.tif 000007
【図６】
0003197761.tif 000008
【図７】
0003197761.tif 000009